(57)【要約】【課題】  清掃用シートが取付けられる清掃ヘッドで床面を摺動する清掃具において、清掃ヘッドと床面との摩擦抵抗力を低減でき、清掃用シートの広い範囲で汚れやゴミを除去できる清掃具を提供する。【解決手段】  清掃ヘッド１１に取付けられたパッド２２の下面が清掃作業部２３であり、清掃作業部２３は、前方の左右中央部に凹部１が形成されており、その両側に側方加圧部が、後方に後方加圧部４が形成されている。シャフト１３に作用する押し力Ｆにより清掃ヘッド１１の前方部分が床面に押し付けられたときに、前記凹部１を有するため、清掃時の摩擦抵抗力が過大にならない。また清掃作業部２３の中央部分でも汚れを取ることができ、清掃用シート６０の広い範囲を清掃作業に有効に使用できる。【選択図】  図６
2005342258.tif 000002
【特許請求の範囲】
【請求項１】
底部が清掃作業部とされた清掃ヘッドと、前記清掃ヘッドの上部に連結された把持部とを有し、前記清掃作業部に清掃用シートが敷設される清掃具において、
前記清掃ヘッドの前記清掃作業部は、前後方向の縦寸法よりも左右方向の幅寸法が大きく、前方に向く前側縁と後方に向く後側縁および左右方向に向く両端縁を有しており、
前記清掃作業部には、前記前側縁から後方へ向けて凹部が形成されており、前記凹部よりも左右両側部分には側方加圧部が設けられ、前記凹部より後方部分に後方加圧部が設けられており、それぞれの前記側方加圧部と前記後方加圧部とが、同一平面に対して当接可能とされていることを特徴とする清掃具。
【請求項２】
前記清掃ヘッドと前記把持部との連結部は、前記後方加圧部の上または前記凹部の上に位置する請求項１記載の清掃具。
【請求項３】
前記両側方加圧部と、前記後方加圧部とが連続して形成されている請求項１または２記載の清掃具。
【請求項４】
前記凹部は、前記後方加圧部に向けて徐々に浅くなるように形成されている請求項１ないし３のいずれかに記載の清掃具。
【請求項５】
前記凹部は、前記両側方加圧部に向けて徐々に浅くなるように形成されている請求項１ないし４のいずれかに記載の清掃具。
【請求項６】
前記清掃ヘッドは、前記把持部が連結されている硬質のホルダと、このホルダの下に固定されて底部に前記清掃作業部が形成された可撓性のパッドとを有している請求項１ないし５のいずれかに記載の清掃具。
【請求項７】
前記清掃ヘッドに取付けられる前記清掃用シートは、吸収体を有して液を吸収保持可能なものである請求項１ないし６のいずれかに記載の清掃具。
【発明の詳細な説明】
【技術分野】
【０００１】
本発明は家屋やオフィスの床面などを清掃するのに適した清掃具に係り、特に床面などの被清掃部に対して安定して摺動させることができ、汚れの捕捉効率の良い清掃具に関する。
【背景技術】
【０００２】
交換式または使い捨ての清掃用シートを装着して使用する清掃具は、前記清掃用シートが装着される清掃ヘッドと、先端部に前記清掃ヘッドが取付けられるシャフト状の把持柄を有している構造が一般的である。
【０００３】
以下の特許文献２の図１０に記載されたものは、前記清掃ヘッドの底面が平坦面であり、この清掃ヘッドに取付けられた清掃用シートは、前記清掃ヘッドの底面の全域によって床面などの被清掃面に押し付けられる。
【０００４】
前記のように、清掃ヘッドの底面が平坦面であると、前記底面の全面によって前記清掃用シートが被清掃面に押し付けられるため、被清掃面を拭く際に、前記底面の前縁と後縁付近において清掃用シートの外面に埃やゴミが集中的に付着し、前記底面の中央部付近には埃やゴミが付着しずらくなる。そのため清掃用シートの全面を効率的に使用できない。
【０００５】
そこで、以下の特許文献１ないし４には、底面が平坦面とされていない清掃用ヘッドを有する清掃具が開示されている。
【０００６】
特許文献１に記載のものは、清掃ヘッドの底面の前方と後方に傾斜面が形成され、前記底面では前後方向での中央部分が被清掃面に向けて最も突出した形状となっている。特許文献２に記載のものは、清掃ヘッドの底部の構造が前縁から中央部に向けて段階的に厚みが大きくなり、後縁から中央部に向けて段階的に厚みが大きくなることによって、前後方向の中央部分が被清掃面に向けて最も突出した形状となっている。さらに、特許文献３に記載のものは清掃ヘッドの底面が側方から見たときに円弧形状であり、前後方向の中央部が被清掃面に向けて最も突出した形状である。
【０００７】
また、特許文献４に記載の清掃具は、前記特許文献３に記載のものと同様に、清掃ヘッドを側方から見たときに底面が円弧形状であり、前後方向の中央部が被清掃面に向けて最も突出しているとともに、前方から見たときに、左右方向での中央部に被清掃面から離れる窪みが形成されている。
【特許文献１】特許第２９３０４７２号公報
【特許文献２】特許第２９８１１１０号公報
【特許文献３】特開平１１−２４４２１０号公報
【特許文献４】特開２００４−３３５３０号公報
【発明の開示】
【発明が解決しようとする課題】
【０００８】
前記特許文献１ないし４に記載のものは、いずれもシャフト状の把持部が、清掃ヘッドの前後方向の中央部に設けられており、前記把持柄を保持して清掃ヘッドを被清掃面に沿って前方へ摺動させる際に、把持部から前記清掃ヘッドに対してその前縁を被清掃面に押し付ける力が作用する。
【０００９】
前記特許文献１ないし４に記載のものはいずれも、清掃ヘッドの底面の形状が、中央部で被清掃面に最も突出し、その前後では前記底面が被清掃面から離れていく形状である。そのため、手で把持柄を押して清掃用ヘッドを前方へ移動させるときに、清掃ヘッドが前方へ向けて傾く姿勢となりやすく、清掃ヘッドが床面などの被清掃面に不安定な姿勢で押し付けられることになって、把持柄を押す力が清掃ヘッドに効果的に伝えられず、また清掃ヘッドを被清掃面に沿って摺動させる際に把持柄に作用する抵抗力も大きくなる。
【００１０】
前記のように清掃ヘッドが前方へ向けて傾いた姿勢で被清掃面上を摺動すると、清掃ヘッドの前方部分において清掃用シートに集中的に埃やゴミが付着しやすく、清掃ヘッドの底面の後方部分では、前記清掃用シートに埃やゴミが付着しずらくなって、清掃用シートを広い範囲で効果的に清掃に使用できなくなる。
【００１１】
一方、特許文献４に記載のものは、前方から見たときに左右方向での中央部に被清掃面から離れる窪みが形成されているため、ゴミや埃を清掃ヘッドの中央部に導きやすくなっている。また、清掃ヘッドと被清掃面との加圧面積を実質的に低減できるので、被清掃面に対する摩擦力を低下させる点において有効である。
【００１２】
しかし、前記窪みは清掃ヘッドの前縁から後縁にかけて連続して形成されているため、前記窪みに対向する部分において、清掃用シートにゴミや埃を十分に付着させることができないことがある。
【００１３】
本発明は、上記従来の課題を解決するものであり、把持部から清掃ヘッドに対して押し力を効果的に与えることができ、被清掃面に対して大きな負荷を感じることなく摺動させることが可能であり、また清掃ヘッドに取付けた清掃用シートの広い範囲で汚れやゴミを効果的に除去できる清掃具を提供することを目的としている。
【課題を解決するための手段】
【００１４】
本発明は、底部が清掃作業部とされた清掃ヘッドと、前記清掃ヘッドの上部に連結された把持部とを有し、前記清掃作業部に清掃用シートが敷設される清掃具において、
前記清掃ヘッドの前記清掃作業部は、前後方向の縦寸法よりも左右方向の幅寸法が大きく、前方に向く前側縁と後方に向く後側縁および左右方向に向く両端縁を有しており、
前記清掃作業部には、前記前側縁から後方へ向けて凹部が形成されており、前記凹部よりも左右両側部分には側方加圧部が設けられ、前記凹部より後方部分に後方加圧部が設けられており、それぞれの前記側方加圧部と前記後方加圧部とが、同一平面に対して当接可能とされていることを特徴とするものである。
【００１５】
また本発明は、前記清掃ヘッドと前記把持部との連結部が、前記後方加圧部の上または前記凹部の上に配置されているものである。
【００１６】
本発明の清掃具は、把持部を押して清掃ヘッドを床面などの被清掃面に沿って摺動させたときに、前記側方加圧部とこれと実質的に同一面上に位置する後方加圧部とが清掃用シートを床面に押し付けるようになるため、清掃作業中での清掃ヘッドの姿勢が安定する。しかも前方には凹部が形成されているため、清掃用シートを被清掃面に加圧する面積を減少させることができ、清掃ヘッドを被清掃面に沿って移動させるときの摩擦抵抗力を低減できる。また清掃ヘッドの前記凹部によってゴミや埃を清掃作業部の中央部分に導くことができるため、清掃用シートの広い範囲を効果的に使用できるようになる。
【００１７】
本発明では、好ましくは前記両側方加圧部と、前記後方加圧部とが連続して形成されている。
【００１８】
側方加圧部と後方加圧部とが連続していると、清掃ヘッドの姿勢がさらに安定できるようになる。
【００１９】
また、本発明では、前記凹部は、前記後方加圧部に向けて徐々に浅くなるように形成されていることが好ましい。
【００２０】
把持部を手で保持して清掃ヘッドを前方へ摺動させると、前記凹部の部分に被清掃面へ押し付ける大きな力が作用するが、この凹部が後方に向うにしたがって徐々に浅くなる傾斜形状であると、この部分と被清掃面との摩擦抵抗を低減でき、軽い力で清掃ヘッドを摺動させることができる。
【００２１】
さらには、前記凹部は、前記両側方加圧部に向けて徐々に浅くなるように形成されていることが好ましい。
【００２２】
前記凹部が後方加圧部に向けて、また側方加圧部に向けて徐々に浅くなる形状であると、前記凹部に対向する被清掃面上の埃やゴミが、後方加圧部や側方加圧部の下へ導かれやすくなり、清掃用シートの広い範囲を効果的に使用して清掃ができるようになる。
【００２３】
例えば、本発明は、前記清掃ヘッドは、前記把持部が連結されている硬質のホルダと、このホルダの下に固定されて底部に前記清掃作業部が形成された可撓性のパッドとを有しているものである。
【００２４】
本発明は、前記清掃ヘッドに取付けられる前記清掃用シートは、吸収体を有して液を吸収保持可能なものであるものにおいて有効である。
【００２５】
前記凹部が形成されている結果、清掃用ヘッドと被清掃面との接触面積を低減できるので、清掃用シートが水分を含んでいる場合においても、清掃用シートと被清掃面との摩擦抵抗を低減できるようになる。
【発明の効果】
【００２６】
本発明では、被清掃面上で清掃ヘッドの姿勢を安定させることができて、前記清掃ヘッドが被清掃面上を移動するときの摩擦抵抗力を低減できる。また清掃用シートを広い範囲で有効に使用してゴミや埃の除去を行うことが可能になる。
【発明を実施するための最良の形態】
【００２７】
図１は本発明の実施の形態の清掃具１０を示す斜視図、図２は清掃ヘッドを示す拡大斜視図、図３は前記清掃ヘッドに、使い捨てで且つ交換自在な清掃用シートが取付けられた状態を示す斜視図、図４は清掃ヘッドの正面図、図５は清掃用シートを取り外した状態での清掃ヘッドの清掃作業部を示す底面図、図６は図４のＶＩ−ＶＩ線の断面図である。
【００２８】
図１に示す清掃具１０は、清掃ヘッド１１と、この清掃ヘッド１１の上面に自在継手１２を介して連結されたシャフト１３と、前記シャフト１３の上端に固定されたグリップ部１４とを有している。この実施の形態では、前記シャフト１３と前記グリップ部１４とで把持部１５が構成されている。
【００２９】
図２に示すように、前記清掃ヘッド１１は平面形状が長方形であり、この長方形の一方の長辺に前側面１１ａが形成され、他方の長辺に後側面１１ｂが形成されている。また、一方の短辺に右端面１１ｃが形成され、他方の短辺に左端面１１ｄが形成されている。
【００３０】
前記清掃ヘッド１１は、アクリロニトリル−ブタジエン−スチレン（ＡＢＳ）、ポリエチレン（ＰＥ）、ポリプロピレン（ＰＰ）またはポリエチレンテレフタレート（ＰＥＴ）などの合成樹脂材料で射出成型された硬質のホルダ２１と、このホルダ２１の下面に固着されたパッド２２とを有している。前記パッド２２は、エチレン−酢酸ビニル共重合体（ＥＶＡ）、ウレタンなどの発泡樹脂、またはゴムなどの可撓性で且つ弾性を発揮する素材で形成されている。あるいは前記パッド２２が、軟質なＰＰやＰＥで形成されていてもよい。前記パッド２２と前記ホルダ２１は接着されて固定されている。
【００３１】
前記パッド２２の底面が清掃作業部２３である。図５に示すように、前記清掃作業部２３は、前後方向（Ｙ方向）に向く縦寸法Ｌ１よりも、左右方向（Ｘ方向）に向く幅寸法Ｗ１の方が大きい長尺形状であり、この実施の形態では、前記清掃作業部２３が長方形である。前記各寸法は、前記清掃作業部２３に清掃用シート６０を装着して床面などの被清掃面を拭くのに適していれば特に制限されるものではないが、例えば縦寸法Ｌ１は、６０〜１６０ｍｍ程度であり、前記幅寸法Ｗ１は、２００〜３２０ｍｍ程度である。
【００３２】
前記清掃作業部２３は、前記前側面１１ａに現れる前側縁２３ａと、前記後側面１１ｂに現れる後側縁２３ｂと、前記右端面１１ｃに現れる右端縁２３ｃと、前記左端面１１ｄに現れる左端縁２３ｄとを有している。また、前記前側縁２３ａが向く前方をＹ１で示し、前記後側縁２３ｂが向く後方をＹ２で示している。前記清掃作業部２３は、前後方向に延びる中心線Ｏに対して左右に線対称形状である。
【００３３】
前記清掃作業部２３では、前記前側縁２３ａから後方Ｙ２に向けて凹部１が形成されている。前記凹部１の縦方向の長さはＬ２である。前記凹部１よりも左右両側方には、側方加圧部２ａ，２ｂが設けられている。前記凹部１と前記側方加圧部２ａとの境界部を３ａで示し、前記凹部１と前記側方加圧部２ｂとの境界部を３ｂで示している。前記凹部１よりも後方の領域、および前記側方加圧部２ａ，２ｂよりも後方の領域には、後方加圧部４が設けられている。前記凹部１と前記後方加圧部４との境界部を５で示している。
【００３４】
この実施の形態では、前記側方加圧部２ａ，２ｂと前記後方加圧部４が連続して形成されている。前記前側縁２３ａと前記境界部５との縦方向寸法をＬ２で示しているが、前記縦方向寸法Ｌ２の範囲の領域が側方加圧部２ａ，２ｂであり、それよりも後方の領域が前記後方加圧部４である。
【００３５】
前記清掃作業部２３を床面などの平坦面上に設置したときに、前記側方加圧部２ａ，２ｂのそれぞれの少なくとも一部と、前記後方加圧部４の少なくとも一部が前記平坦面上に当接して、その状態で清掃ヘッド１１が倒れることなく定置される。この実施の形態では、前記側方加圧部２ａ，２ｂと前記後方加圧部４とが、実質的に同一面であり、前記各加圧部に、多数の細かな凸部７が全面に形成されている。この細かな凸部７は、前記各加圧部に互いにクロスする多数の溝を形成し、この溝で囲まれた部分を凸状としたものである。なお、前記凸部７は、前記凹部１内の全域にも形成されている。
【００３６】
ただし、本発明では、前記側方加圧部２ａ，２ｂと前記後方加圧部４とが面ではなく、多数の背の高い突起が設けられているもの、または表面が波打つように凹凸が連続して形成されたものであってもよい。いずれにせよ、清掃作業部２３を平坦面に置いたときに、前記側方加圧部２ａ，２ｂと前記後方加圧部４とが前記平坦面に当たって、清掃ヘッド１１が倒れることなく定置できる構造である。
【００３７】
前記凹部１の底部には、主傾斜面１ａとその両側方に位置する側方傾斜面１ｂ，１ｃが形成されている。前記主傾斜面１ａは、図６に示すように、前記前側縁２３ａから前記後方加圧部４に向けて凹部１の深さ寸法が徐々に浅くなるように傾斜しており、且つ主傾斜面１ａは平面である。
【００３８】
前記主傾斜面１ａと前記側方傾斜面１ｂとの境界部を６ａで示し、前記主傾斜面１ａと前記側方傾斜面１ｃとの境界部を６ｂで示している。側方傾斜面１ｂは、前記境界部６ａから側方加圧部２ａに向けて凹部１の深さ寸法が徐々に浅くなるように形成されており、前記側方傾斜面１ｂは平面である。前記側方傾斜面１ｃは、前記境界部６ｂから側方加圧部２ｂに向けて凹部１の深さ寸法が徐々に浅くなるように形成されており、前記側方傾斜面１ｃは平面である。
【００３９】
前記境界部６ａと境界部６ｂは、後方に向かうにしたがって、その対向間隔が徐々に広くなるようにそれぞれ直線的に延びている。
【００４０】
前記凹部１の縦方向寸法Ｌ２は、前記清掃ヘッド１１の縦寸法Ｌ１の１／４以上で３／４以下が好ましく、さらに好ましくは１／２以下である。また、前記凹部１の横方向寸法Ｗ２は、前記幅寸法Ｗ１の１／２以上であることが好ましく、それぞれの前記側方加圧部２ａ，２ｂの幅方向寸法Ｗ３は、前記幅寸法Ｗ１の１／８以上であることが好ましい。
【００４１】
前記範囲であると、側方加圧部２ａ，２ｂおよび後方加圧部４によって清掃用シート６０を床面などに直接に押し付ける面積を確保できて、埃やゴミを清掃用シート６０に効果的に捕捉できるようになり、また床面などに対する摺動摩擦力も適度に設定できる。
【００４２】
また、前記前側縁２３ａでの前記凹部１の深さ寸法ｈは、前記清掃作業部２３に敷設される清掃用シート６０の本体部６１の最大厚み寸法以下であることが好ましい。前記凹部１の深さ寸法が本体部６１の厚み寸法以下であると、清掃ヘッド１１を床面などに押し付けたときに、前記凹部１の主傾斜面１ａによって前記本体部６１を床面に押し付けることができ、凹部１の下に敷設されている清掃用シート６０でゴミや埃を除去する効果を発揮できる。
【００４３】
なお、前記パッド２２は可撓性材料で形成されており、清掃ヘッド１１を床面に押し付けたときに凹部１が床面に接近するように変形可能である。そのため、前記深さ寸法ｈは、前記本体部６１の厚み寸法プラス５ｍｍ以内であれば良く、好ましくはプラス２ｍｍ以下である。また前記深さ寸法ｈは１ｍｍ以上であることが好ましい。
【００４４】
前記ホルダ２１の上面では、前記右端面１１ｃと前記左端面１１ｄとの中点の位置に前記自在継手１２が連結されている。図６に示すように、前記自在継手１２は軸１６によって前記ホルダ２１に連結されているが、この軸１６が設けられた部分、すなわち把持部１５とホルダ２１との連結部は、前記中心線Ｏ上であって、前記後方加圧部４の上方に位置している。なお、前記連結部が、前記凹部１の上に位置していてもよい。
【００４５】
前記連結部が前記後方加圧部４または前記凹部１の上に設けられていると、図６に示すように、前記把持部１５から清掃ヘッド１１に対して斜め前方下向へ向く押し力Ｆが作用したときに、前記側方加圧部２ａ，２ｂが床面などに押し付けられ、清掃ヘッド１１の姿勢を安定させて清掃作業を行うことができる。
【００４６】
前記ホルダ２１の上面部では、前側面１１ａと右端面１１ｃおよび左端面１１ｄとの２つの角部の内側、および後側面１１ｂと右端面１１ｃおよび左端面１１ｄとの２つの角部の内側に、シート止め機構２４が設けられている。このシート止め機構２４では、前記ホルダ２１の上面に穴２１ａが形成され、この穴２１ａがＰＥ，ＰＰ，ＰＥＴなどで形成された変形可能なシート２５で覆われている。前記シート２５に切れ目２５ａが形成されており、図３に示すように清掃用シート６０の一部が前記切れ目２５ａ内に押し込まれることでこの清掃用シート６０が止められる。
【００４７】
図２に示すように、前記ホルダ２１には噴液部３０が搭載されている。この噴液部３０は、前記ホルダ２１の、右端面１１ｃと左端面１１ｄとの中点で、且つ前記自在継手１２の前方に配置されている。前記噴液部３０は、台座３１とノズルヘッド３２との２つの部材で構成されている。前記ノズルヘッド３２の前面である噴射面３３の３箇所にノズル３５，３６，３７が開孔している。
【００４８】
図１に示すように、前記シャフト１３には容器ホルダ４１が設けられ、この容器ホルダ４１に液を収納した容器４２が装着できるようになっている。この実施の形態では、前記容器ホルダ４１と前記容器４２とで液溜め部４０が構成されている。前記容器ホルダ４１の下部４１ａの内部には、弁を備えた断続機構が設けられている。前記グリップ部１４には操作部４３が設けられており、この操作部４３を押圧操作すると前記断続機構に設けられた弁が開放できるようになっている。
【００４９】
前記弁が開放されると、前記容器４２内の液は、自重でシャフト１３の管の中心空間１３ａ内を通り、さらにパイプ４４内を経て、ノズルヘッド３２に与えられる。この実施の形態では、前記中心空間１３ａとパイプ４４とで液通路が形成されている。また、前記液通路と前記液溜め部４０とで液供給部が構成されている。
【００５０】
次に、前記清掃具１０の使用方法を説明する。
図３に示すように、前記清掃ヘッド１１には、使い捨て可能な清掃用シート６０が取付けられる。この清掃用シート６０は、本体部６１が前記パッド２２の下面の清掃作業部２３に敷設される。前記本体部６１は、被清掃面に向く外面に不織布が現れ、この不織布の内側には液を吸収保持する吸収層が設けられている。前記清掃用シート６０の本体部６１の前後には取付けシート６２，６２が一体に設けられており、この取付けシート６２，６２が、清掃ヘッド１１の前側面１１ａと後側面１１ｂを巻き込むようにしてホルダ２１の上面に設置され、この取付けシート６２，６２が前記シート止め機構２４に挟み込まれることにより、清掃ヘッド１１に清掃用シート６０が取付けられる。
【００５１】
清掃ヘッド１１の前記前側面１１ａを覆っている前記取付けシート６２には、凹部６３が形成されており、前記ノズルヘッド３２の噴射面３３が前記凹部６３内に現れている。
【００５２】
この清掃具１０を使用するときには、図１および図６に示すように、清掃ヘッド１１の清掃作業部２３に設置された清掃用シート６０の本体部６１を被清掃面である床面に設置する。グリップ部１４を手で把持して、操作部４３を押圧操作すると、容器ホルダ４１の下部４１ａ内に設けられた断続機構の弁が開き、容器４２の内部の液の上部空間が大気に連通する。その結果、液通路を経てノズルヘッド３２の内部圧力が容器４２内の液面の高さの応じて上昇し、ノズル３５，３６，３７から液が前方へ噴射され、清掃ヘッド１１の外部前方に位置する床面に液が与えられる。液で床面を濡らした後に、清掃ヘッド１１を前方へ移動させて清掃用シート６０で床を拭き清掃する。
【００５３】
前記容器４２に入れられる液は、水であってもよいし、床面を洗浄する洗剤や、つや出しワックスなどを含んだものであってもよい。
【００５４】
図６に示すように、前記グリップ部１４を保持して前方へ押出して、清掃ヘッド１１を前方（Ｙ１方向）へ移動させると、シャフト部１３の軸方向に作用する押し力Ｆが、清掃ヘッド１１の前方部分を床面に押し付ける。
【００５５】
前記押し力Ｆは、自在継手１２の前方部分に大きく作用し、清掃ヘッド１１の前方で且つ左右方向での中央部が床面に強く押し付けられるようになる。しかし、自在継手１２の前方には凹部１が形成され、この凹部１の主傾斜面１ａは前方に向うにしたがって床面から離れるように傾斜している。そのため、前記凹部１の部分から清掃用シート６０に過大な押圧力が与えられることがない。また、前記押し力Ｆによって、側方加圧部２ａ，２ｂが清掃用シート６０を床面に押し付けるように作用するが、左右両側に離れた位置にある前記側方加圧部２ａ，２ｂに作用する前記押し力Ｆの分力が小さくなる。そのため、清掃作業部２３が清掃用シート６０に与える圧力を低減でき、清掃ヘッド１１を床面に沿って前方へ移動させるときの摩擦抵抗力を低減できる。
【００５６】
床面に前記液が与えられ清掃用シート６０の本体部６１がこの液を吸収した湿潤状態になると、清掃用シート６０と床面との摩擦係数が増加する。しかし、前記のように清掃ヘッド１１の前方部分での加圧力が過大にならないため、本体部６が濡れていても、清掃時の摺動抵抗を小さくできる。
【００５７】
前記凹部１の部分で清掃用シート６０が床面に過大な力で押し付けられることがないため、清掃ヘッド１１の前方部分では、比較的大きな埃やゴミが前記凹部１の下において清掃用シート６０に付着する。また、比較的小さな埃などは、前記凹部１の下を通過して、その後方に位置する後方加圧部４の加圧力を受けて、清掃用シート６０に付着する。さらに、前記ノズル３５，３６，３７から床面に噴射された洗浄液も、清掃ヘッド１１の前側面１１ａの前方に停滞したり前方へ押しやられることがなく、前記凹部１の下を通過して、清掃用シート６０と床面との間に広く入り込み、清掃用シート６０の本体部６１で吸収されすくなる。よって、床が液で濡れすぎたり、家具などに洗浄液が過剰に付着させられるのを防止できる。
【００５８】
したがって、清掃作業部２３の全面を利用して清掃用シート６０で汚れを取ることができ、早期に清掃用シート６０が局部的に汚れるのを避けることができ、同じ清掃用シート６０を長期間使用できるようになる。特に、前記凹部１の主傾斜面１ａが前方へ向けて床面から離れる方向へ傾斜しており、凹部１の前方への深さ寸法ｈが清掃用シート６０の本体部６１の厚み寸法以下、または前記厚み寸法よりもわずかに大きく設定されていると、前記主傾斜面１ａによって清掃用シート６０を床面に軽く押し付けることができ、清掃用シート６０は、前記凹部１の下に位置する部分も清掃に寄与できるようになる。
【００５９】
なお、本発明は前記のようにノズル３５，３６，３７から液を清掃ヘッド１１よりも外方へ噴射するものに限られず、前記ノズル３５，３６，３７から清掃用シート６０の上面に液が与えられて、清掃用シート６０が湿潤状態となるものであってもよい。または、前記ノズルが設けられておらず、清掃用シート６０に対して外部から液が与えられるものであってもよい。あるいは、清掃用シート６０が乾燥状態のまま使用されるものであっても、前記のように清掃時の摩擦抵抗力の低減と、清掃用シートの広い範囲でゴミや埃を拭き取る機能を発揮できる。
【図面の簡単な説明】
【００６０】
【図１】本発明の実施の形態の清掃具の全体構造を示す斜視図、
【図２】前記清掃具の清掃ヘッドを示す拡大斜視図、
【図３】前記清掃ヘッドに清掃用シートが取付けられた状態を示す斜視図、
【図４】清掃ヘッドの正面図、
【図５】清掃作業部を示す清掃ヘッドの底面図、
【図６】図４のＶＩ−ＶＩ線の断面図、
【符号の説明】
【００６１】
１  凹部
１ａ  主傾斜面
１ｂ，１ｃ  側方傾斜面
２ａ，２ｂ  側方加圧部
４  後方加圧部
１０  清掃具
１１  清掃ヘッド
１３  シャフト
１４  グリップ部
１５  把持部
２１  ホルダ
２２  パッド
２３  清掃作業部
３２  ノズルヘッド
３３  噴射面
３５，３６，３７  ノズル
【図１】
2005342258.tif 000003
【図２】
2005342258.tif 000004
【図３】
2005342258.tif 000005
【図４】
2005342258.tif 000006
【図５】
2005342258.tif 000007
【図６】
2005342258.tif 000008